(57)【要約】【課題】より強度を向上させたパネルスタンドを提供する。【解決手段】パネル１と、パネル１の外周部を保持する枠状部材２と、枠状部材２を下方から支持する脚部３と、枠状部材２と脚部３とを連結する連結部４とを備えるパネルスタンドであって、脚部３は、矩形枠状のフレーム３１を有し、フレーム３１は、パネル１の表面に対して直交する方向に延在し、中心部でパネル１に連結された上フレーム部材３２を有し、連結部４は、上フレーム部材３２の前端部から斜め後方に立ち上がって枠状部材２の結節部２３ａに連結された第１傾斜部材４１と、上フレーム部材３２の後端部から斜め前方に立ち上がって枠状部材２の結節部２３ａに連結された第２傾斜部材４２とを備える。【選択図】図１
0003188118.tif 000002
【実用新案登録請求の範囲】
【請求項１】
略矩形のパネルと、
前記パネルの外周部を保持する枠状部材と、
前記枠状部材を下方から支持する脚部と、
前記枠状部材と前記脚部とを連結する連結部と、
を備えるパネルスタンドであって、
前記脚部は、矩形枠状のフレームを有し、
前記フレームは、前記パネルの表面に対して直交する方向に延在し、中心部で前記パネルに連結された上フレーム部材を有し、
前記連結部は、
前記上フレーム部材の前端部から斜め後方に立ち上がって前記枠状部材の結節部に連結された第１傾斜部材と、
前記上フレーム部材の後端部から斜め前方に立ち上がって前記枠状部材の結節部に連結された第２傾斜部材と、
を備える、パネルスタンド。
【考案の詳細な説明】
【技術分野】
【０００１】
本考案は、ポスターや学術資料などの薄型の展示物を展示するための自立式のパネルスタンド（掲示板）に関する。
【背景技術】
【０００２】
従来、この種のパネルスタンドとしては、種々の構造のものが知られている（例えば、特許文献１：実開平４−４８５６６号参照）。従来のパネルスタンドは、１枚のポスターを展示できる程度の比較的幅の小さなものが多く、組立性や軽量化を重視した構造のものが多い。
【先行技術文献】
【特許文献】
【０００３】
【特許文献１】実開平４−４８５６６号公報
【考案の概要】
【考案が解決しようとする課題】
【０００４】
しかしながら、例えば、大規模な展示会や学会のような多数のポスターや学術資料を展示したい場合もある。このような場合、単純にはポスターの数に応じた台数のパネルスタンドを用意すればよいが、そうするとコストが増加することになる。また、ポスターを展示するパネルのサイズを大きくすることが考えられるが、この場合、例えば、風を受ける面積が大きくなるため転倒しやすくなる。従来のパネルスタンドの構造では、パネルの転倒を十分に抑えることができず、強度が不十分である。
【０００５】
従って、本考案の目的は、前記問題を解決することにあって、より強度を向上させたパネルスタンドを提供することにある。
【課題を解決するための手段】
【０００６】
前記目的を達成するために、本考案は以下のように構成する。
本考案によれば、略矩形のパネルと、前記パネルの外周部を保持する枠状部材と、前記枠状部材を下方から支持する脚部と、前記枠状部材と前記脚部とを連結する連結部と、を備えるパネルスタンドであって、前記脚部は、矩形枠状のフレームを有し、前記フレームは、前記パネルの表面に対して直交する方向に延在し、中心部で前記パネルに連結された上フレーム部材を有し、前記連結部は、前記上フレーム部材の前端部から斜め後方に立ち上がって前記枠状部材の結節部に連結された第１傾斜部材と、前記上フレーム部材の後端部から斜め前方に立ち上がって前記枠状部材の結節部に連結された第２傾斜部材と、を備える、パネルスタンドを提供する。
【考案の効果】
【０００７】
本考案にかかるパネルスタンドよれば、前記構造を有することにより、より強度を向上させることができる。
【図面の簡単な説明】
【０００８】
【図１】本考案の実施形態にかかるパネルスタンドの全体構成を示す斜視図である。
【図２】図１のパネルスタンドの側面図である。
【図３】図１のパネルスタンドに用いられる結節部材の構成を示す斜視図である。
【考案を実施するための形態】
【０００９】
以下、本考案の実施形態について、図面を参照しながら説明する。
【００１０】
《実施形態》
図１は、本考案の実施形態にかかるパネルスタンドの全体構成を示す斜視図である。図２は、図１のパネルスタンドの側面図である。なお、ここでは、便宜上、図２の左側を「前」といい、図１の右側を「後」というが、本実施形態にかかるパネルスタンドは、前後が限定されるものではない。
【００１１】
図１に示すように、本実施形態にかかるパネルスタンドは、略矩形のパネル１と、パネル１の外周部を保持する枠状部材２と、枠状部材２を下方から支持する脚部３と、枠状部材２と脚部３とを連結する連結部４とを備えている。
【００１２】
パネル１は、例えば、ポスターや学術資料などの薄型の展示物を２枚以上取り付け可能な大きさを有する木製のパネルである。例えば、パネル１の厚みは１６ｍｍであり、パネル１の高さは９５０ｍｍであり、パネル１の横幅は２４８０ｍｍである。
【００１３】
枠状部材２は、上枠材２１と、下枠材２２と、２つの横枠材２３，２３とを有している。各横枠材２３には、連結部４が連結される結節部２３ａが設けられている。結節部２３ａは、例えば、横枠材２３の下端部から上方に２５０ｍｍ離れた位置に設けられている。
【００１４】
脚部３は、枠状部材２の両端下部を支持するように２箇所に設けられている。各脚部３は、矩形枠状のフレーム３１を有している。例えば、フレーム３の横幅は１７５ｍｍであり、フレーム３の高さは９５０ｍｍであり、フレーム３の奥行き（パネル１の表面に対して直交する方向の長さ）は５００ｍｍである。
【００１５】
フレーム３１は、上フレーム部材３２と、下フレーム部材３３と、２つの横フレーム部材３４，３４とを有している。
【００１６】
上フレーム部材３２は、パネル１の表面に対して直交する方向に延在している。また、上フレーム部材３２は、その長手方向の中心部でパネル１に連結されている。
【００１７】
一方の横フレーム部材３４は、上フレーム部材３２の前端部と、下フレーム部材３３の前端部とを連結するように設けられている。他方の横フレーム部材３４は、上フレーム部材３２の後端部と、下フレーム部材３３の後端部とを連結するように設けられている。
【００１８】
また、本実施形態においては、上フレーム部材３２の中心部と下フレーム部材３３の中心部とを連結するように、中フレーム部材３５が設けられている。この中フレーム部材３５により、フレーム３１の強度が向上され、フレーム３１の変形が抑えられている。
【００１９】
連結部４は、第１傾斜部材４１と、第２傾斜部材４２とを備えている。第１傾斜部材４１は、上フレーム部材３２の前端部から斜め後方に立ち上がって枠状部材２の結節部２３ａに連結されている。第２の傾斜部材４２は、上フレーム部材３２の後端部から斜め前方に立ち上がって枠状部材２の結節部２３ａに連結されている。すなわち、第１傾斜部材と第２傾斜部材４２とは、図２に示すように、横枠材２３に対して同じ角度θ（例えば、θ＝４５度）傾斜するように設けられている。第１及び第２傾斜部材４２の長さは、例えば３７０ｍｍである。
【００２０】
本実施形態において、上フレーム部材３２と下フレーム部材３３と２つの横フレーム部材３４，３４と中フレーム部材３５とは、それぞれ２枚の長細い板材を互いに間隔を空けて並行に配置した構成を有する。上フレーム部材３２と２つの横フレーム部材３４，３４においては、当該２枚の長細い板材の間にポリエステル化粧合板が設けられている。
【００２１】
本実施形態にかかるパネルスタンドによれば、脚部３が矩形枠状のフレーム３１を有し、上フレーム部材３２がパネル１の表面に対して直交する方向に延在するように設けられているので、パネル１の表面に対して直交する方向への強度を向上させることができる。また、枠状部材２の結節部２３ａに第１及び第２傾斜部材４１，４２を連結することにより、パネル１の表面に対して直交する方向への強度をより一層向上させることができる。
【００２２】
また、本実施形態にかかるパネルスタンドによれば、上フレーム部材３２に第１及び第２傾斜部材４１，４２を連結しているので、下フレーム部材３３に第１及び第２傾斜部材４１，４２を連結する場合に比べて、第１及び第２傾斜部材４１，４２の横枠材２３に対する傾斜角度を大きくすることができる。これにより、例えば、傾斜角度θを４５度にするために必要な上フレーム３２の長さを短くすることができ、パネル１の表面からの出っ張りを抑えることができる。
【００２３】
また、本実施形態にかかるパネルスタンドによれば、横フレーム部材３４と中フレーム部材３５との間に空間を設けているので、当該空間に、例えば展示物を入れていたケースなどを収納することができる。
【００２４】
また、本実施形態にかかるパネルスタンドによれば、パネル１を軸として前後対称に構成されているので、パネル１の前側表面にも後側表面にも展示物を取り付けることができ、１台で多数（４枚以上）の展示物を取り付けることができる。
【００２５】
また、本実施形態にかかるパネルスタンドによれば、略矩形のパネル１を横長に使用することにより、使用者が手の届く範囲でより広い掲示スペースを確保することができ、コストダウンを図ることができる。また、脚部３を従来のものと違ってオープンな構造にしたことにより、大会場での見通し等の景観や、息苦しさ、閉塞感の改善にも寄与することができる。
【００２６】
なお、パネル１の表面は、マジックテープ(登録商標)のメスで構成されていることが好ましい。これにより、多様な展示物の貼り付けを容易に行うことができる。また、パネル１の表面は、展示物の掲示に際してピン打ちが可能であり、ピン打ち後に生じる孔も目立たないものであることが好ましい。
【００２７】
また、各フレーム部材３２〜３５、第１及び第２傾斜連結４１，４２、横枠材２３の各結節部は、例えば、図３に示すような、ドイツ国オクタノルム社の「オクタノルム」（直径約４ｃｍ）を用いることが好ましい。これにより、パネルスタンドの構造をより強固にすることができるとともに、組立性を向上させることができる。
【符号の説明】
【００２８】
１    パネル
２    枠状部材
２１    上枠材
２２    下枠材
２３    横枠材
２３ａ  結節部
３    脚部
３１    フレーム
３２    上フレーム部材
３３    下フレーム部材
３４    横フレーム部材
３５    中フレーム部材
４    連結部
４１    第１傾斜部材
４２    第２傾斜部材
５    オクタノルム
【図１】
0003188118.tif 000003
【図２】
0003188118.tif 000004
【図３】
0003188118.tif 000005